(57)【要約】【課題】多光源を用いて均一な輝度分布を生じさせ、照明の品質を向上することの可能なループ状灯具を提供する。【解決手段】内凹球面を通して逆方向に投射するループ状灯具は、２個以上の発光装置１１０を灯具のループラジエーターの発光装置側部１０２に、ループラジエーター１０１の内側であって上に向かう斜面側に円形または多面形を呈するループ状に設置し、かつ各発光装置１１０の投光軸線が、ループラジエーター１０１の上方に設置された内凹球面を持つ反射装置１０３に投射され、内凹球面を持つ反射装置１０３の内凹球状反射パーツ１０４に反射した投射面は、照明光の最終投射方向とは同じ軸性を持ち、発光装置１１０の光を通して内凹球面を持つ反射装置１０３に反射してから投射したい領域に屈折し、比較的均一な光源を形成する。【選択図】図１
2017152399.tif 000002
【特許請求の範囲】
【請求項１】
熱伝導材料によって作られたループラジエーター（１０１）を有し、前記ループラジエーター（１０１）は内凹球面を持つ反射装置（１０３）と結合し、
前記ループラジエーター（１０１）の発光装置側部（１０２）には前記ループラジエーター（１０１）の内側であって上に向かう斜面側に２個以上の発光装置（１１０）が設置され、
前記反射装置（１０３）の頂部が球状体を形成し、球状体の内部に一体成型または別体とされ、かつ、研磨またはメッキされた内凹球状反射パーツ（１０４）を持ち、前記内凹球状反射パーツ（１０４）は前記反射装置（１０３）のボディシェルと前記ループラジエーター（１０１）の頂部と周辺に結合し、
前記内凹球状反射パーツ（１０４）は前記発光装置（１１０）から来る光を最終投射方向に反射することを特徴とするループ状灯具。
【請求項２】
固定環（１１２）を介して保護透光板（１１１）が前記ループラジエーター（１０１）の下側に挟み付けられ、及び前記保護透光板（１１１）の両側に弾性パッド（１１３）が敷かれていることを特徴とする請求項１に記載のループ状灯具。
【請求項３】
前記発光装置（１１０）をループ状の灯具の前記発光装置側部（１０２）に円形または多面形を呈するループ状に設置し、かつ各前記発光装置（１１０）の投光は前記反射装置（１０３）に投射され、前記反射装置（１０３）に反射してから、投射したい領域に屈折し、光源を形成することを特徴とする請求項１または請求項２に記載のループ状灯具。
【請求項４】
前記発光装置（１１０）は、
（１）  ＬＥＤ、
（２）  ガス灯、
（３）  蛍光灯、
（４）  電球、
のうちの一種または複数種によって構成されることを特徴とする請求項１〜請求項３のうちいずれか一項に記載のループ状灯具。
【発明の詳細な説明】
【技術分野】
【０００１】
本発明は、内凹球面を通して逆方向に投射するループ状灯具に関する。
【背景技術】
【０００２】
従来の灯具に多光源を用いるとき、よく不均一な輝度分布が生じ、照明の品質を悪くすることは、その欠点である。
【先行技術文献】
【特許文献】
【０００３】
【特許文献１】特表２０１１−５２１４６０号公報
【発明の概要】
【発明が解決しようとする課題】
【０００４】
多光源を用いて均一な輝度分布を生じさせ、照明の品質を向上することの可能なループ状灯具を提供する。
【課題を解決するための手段】
【０００５】
本発明による内凹球面を通して逆方向に投射するループ状灯具は、一種の２個以上の発光装置（１１０）を灯具のループラジエーターの発光装置側部（１０２）に、ループラジエーター（１０１）の内側であって上に向かう斜面側に円形または多面形を呈するループ状に設置し、かつ各発光装置（１１０）の投光軸線は、ループラジエーター（１０１）の上方に設置された内凹球面を持つ反射装置（１０３）に投射され、内凹球面を持つ反射装置（１０３）の内凹球状反射パーツ（１０４）に反射された投射面は、照明光の最終投射方向と同じ軸性を持ち、発光装置（１１０）の光を通して内凹球面を持つ反射装置（１０３）に反射してから、投射したい領域に屈折し、比較的均一な光源を形成する。
【図面の簡単な説明】
【０００６】
【図１】本発明の第１実施形態によるループラジエーター（１０１）を配置したループ状灯具の構造模式図を示す。
【図２】図１のＡ−Ａ断面図を示す。
【図３】本発明の第２実施形態による流路を持つ流体冷却式ループラジエーターアセンブリ（２００）を配置したループ状灯具の構造模式図を示す。
【図４】図３のＢ−Ｂ断面図を示す。
【発明を実施するための形態】
【０００７】
以下、本発明の複数の実施形態を図面を参照して説明する。
（第１実施形態）
図１に本発明の第１実施形態によるループラジエーター（１０１）を配置したループ状灯具の構造模式図を示す。
図２に図１のＡ−Ａ断面図を示す。
図１と図２に示すように、その主な構造は下記の通りである。
【０００８】
ループラジエーター（１０１）は、熱伝導材料によって作られたループ状放熱構造であり、内凹球面を持つ反射装置（１０３）と結合し、ループラジエーター（１０１）の発光装置側部（１０２）に２個以上の発光装置（１１０）が設置される。
【０００９】
ループラジエーターの発光装置側部（１０２）には、ループラジエーター（１０１）の内側または上側または上に向かう斜面側に２個以上の発光装置（１１０）が設置される。発光装置（１１０）は、内凹球面を持つ反射装置（１０３）の内凹球状反射パーツ（１０４）に対して光を投射する。
【００１０】
内凹球面を持つ反射装置（１０３）は、ループラジエーター（１０１）と結合し、内凹球面を持つ反射装置（１０３）の頂部が球状体を形成し、球状体の内部に一体成型かつ研磨またはメッキされた内凹球状反射パーツ（１０４）を持ち、または内凹球面を持つ反射装置（１０３）とは別体とした内凹球状反射パーツ（１０４）を内凹球面を持つ反射装置（１０３）の頂部の中に入れてもよく、良好な反射面を持ち、組み合わせことができる内凹球状反射パーツ（１０４）を作り、内凹球面を持つ反射装置（１０３）のボディシェルとループラジエーター（１０１）の頂部と周辺に結合し、ループ底部とループラジエーターを発光装置側部（１０２）の底部の間に設置することによって、固定環（１１２）を通して保護透光板（１１１）を挟み付け、及び保護透光板（１１１）の両側に弾性パッド（１１３）を敷く。
【００１１】
内凹球状反射パーツ（１０４）は、内凹球面を持つ反射装置（１０３）の内部に一体成型かつ研磨またはメッキされたものであり、または内凹球面を持つ反射装置（１０３）とは別体とした内凹球状反射パーツ（１０４）を内凹球面を持つ反射装置（１０３）の頂部の中に入れてもよく、良好な反射面を持ち、組み合わせことができる内凹球状反射パーツ（１０４）によって構成され、内凹球状反射パーツ（１０４）は良好な光反射機能を持ち、発光装置（１１０）から来る光を最終投射方向に反射する。
【００１２】
上述した各素子を組み合わせたループ状灯具の動作及び機能は、２個以上の発光装置（１１０）を灯具のループラジエーターの発光装置側部（１０２）に円形または多面形を呈するループ状に設置し、かつ各発光装置（１１０）の投光軸線は、灯具の予定された照明光の最終投射方向が９０°より大きく、１８０°より小さい逆方向の軸線と、ループラジエーター（１０１）の内側または上側または上に向かう斜面側に設置された内凹球面を持つ反射装置（１０３）に投射され、内凹球面を持つ反射装置（１０３）の内凹球状反射パーツ（１０４）に反射した投射面は、照明光の最終投射方向と同じ軸性を持ち、発光装置（１１０）の光を通して内凹球面を持つ反射装置（１０３）に反射してから、投射したい領域に屈折し、比較的均一な光源を形成する。
【００１３】
（第２実施形態）
本発明の内凹球面を通して逆方向に投射するループ状灯を更に一歩進め、内部に流路を持つ内流体冷却式構造にすることができる。
図３に本発明に流路を持つ流体冷却式ループラジエーターアセンブリ（２００）を配置したループ状灯具の構造模式図を示す。
図４に図３のＢ−Ｂ断面図を示す。
図３と図４に示すように、その主な構造は下記の通りである。
【００１４】
流体冷却式ループラジエーターアセンブリ（２００）は、熱伝導材料によって作られた多層ループ体を組み合わせることによって、流体流路を持つ流体冷却式ループラジエーターアセンブリを構成し、内凹球面を持つ反射装置（１０３）と結合し、流体冷却式ループラジエーターアセンブリ（２００）の発光装置側部（３０２）に、２個以上の発光装置（１１０）を設置する。その中の中間環状体（２０１）の上側に上層環状流路（２０５）を設け、下側に下層環状流路（２０６）を設け、上層環状流路（２０５）と下層環状流路（２０６）の同位角の流路末端との間を上下層環状流路の貫孔（２０８）を通して連通する。
中間環状体（２０１）の上側に上層環状体（２０２）を設け、両者の間に防漏パッド（２０４）を敷く。
中間環状体（２０１）の下側に下層環状体（２０３）を設け、両者の間に防漏パッド（２０４）を敷く。
【００１５】
中間環状体（２０１）、上層環状体（２０２）、下層環状体（２０３）をきつく締付けることによって、時計回り方向と反時計回り方向の流路を構成し、また別々に流体管継手（２０７）へ通じ、外部と連接することによって、流体が流入と流出する。
【００１６】
上述した流体冷却式ループラジエーターアセンブリ（２００）は、熱伝導材料を一体加工によって構成し、かつ防漏パッド（２０４）を設置しないものであってもよい。
【００１７】
流体冷却式ループラジエーターアセンブリの発光装置側部（３０２）には、流体冷却式ループラジエーターアセンブリ（２００）の内側または上側または上に向かう斜面側に２個以上の発光装置（１１０）が設置される。発光装置（１１０）は、内凹球面を持つ反射装置（１０３）の内凹球状反射パーツ（１０４）に対して光を投射する。
【００１８】
内凹球面を持つ反射装置（１０３）は、流体冷却式ループラジエーター（２００）と結合し、内凹球面を持つ反射装置（１０３）の頂部が球状体を形成し、球状体の内部に一体成型かつ研磨またはメッキされた内凹球状反射パーツ（１０４）を持ち、または内凹球面を持つ反射装置（１０３）とは別体とした内凹球状反射パーツ（１０４）を内凹球面を持つ反射装置（１０３）の頂部の中に入れてもよく、良好な反射面を持ち、組み合わせことができる内凹球状反射パーツ（１０４）を作り、内凹球面を持つ反射装置（１０３）のボディシェルと流体冷却式ループラジエーター（２００）の頂部と周辺に結合し、ループ底部とループラジエーターを発光装置側部（１０２）の底部の間に設置することによって、固定環（１１２）を通して保護透光板（１１１）を挟み付け、及び保護透光板（１１１）の両側に弾性パッド（１１３）を敷く。
【００１９】
内凹球状反射パーツ（１０４）は、内凹球面を持つ反射装置（１０３）の内部に一体成型かつ研磨またはメッキされたものであり、または内凹球面を持つ反射装置（１０３）とは別体とした内凹球状反射パーツ（１０４）を内凹球面を持つ反射装置（１０３）の頂部の中に入れてもよく、良好な反射面を持ち、組み合わせことができる内凹球状反射パーツ（１０４）によって構成され、内凹球状反射パーツ（１０４）は良好な光反射機能を持ち、発光装置（１１０）から来る光を最終投射方向に反射する。
【００２０】
上述した各素子を組み合わせたループ状灯具の動作及び機能は、２個以上の発光装置（１１０）を灯具の流体冷却式ループラジエーターの発光装置側部（３０２）に円形または多面形を呈するループ状に設置し、かつ各発光装置（１１０）の投光軸線は、灯具の予定された照明光の最終投射方向が９０°より大きく、１８０°より小さい逆方向の軸線と、流体冷却式ループラジエーター（２００）の内側または上側または上に向かう斜面側に設置された内凹球面を持つ反射装置（１０３）に投射され、内凹球面を持つ反射装置（１０３）の内凹球状反射パーツ（１０４）に反射した投射面は、照明光の最終投射方向とは同じ軸性を持ち、発光装置（１１０）の光を通して内凹球面を持つ反射装置（１０３）に反射してから、投射したい領域に屈折し、比較的均一な光源を形成する。
【００２１】
本項の内凹球面を通して逆方向に投射するループ状灯具の発光装置（１１０）は、下記の一種または一種以上によって構成されることを含む。
（１）  ＬＥＤ。
（２）  ガス灯。
（３）  蛍光灯。
（４）  電球。
【符号の説明】
【００２２】
１０１：ループラジエーター
１０２：ループラジエーターの発光装置側部
１０３：内凹球面を持つ反射装置
１０４：内凹球状反射パーツ
１１０：発光装置
１１１：保護透光板
１１２：固定環
１１３：弾性パッド
２００：流体冷却式ループラジエーターアセンブリ
２０１：中間環状体
２０２：上層環状体
２０３：下層環状体
２０４：防漏パッド
２０５：上層環状流路
２０６：下層環状流路
２０７：流体管継手
２０８：上下層環状流路の貫孔
３０２：流体冷却式ループラジエーターアセンブリの発光装置側部
【図１】
2017152399.tif 000003
【図２】
2017152399.tif 000004
【図３】
2017152399.tif 000005
【図４】
2017152399.tif 000006